(57)【要約】【課題】  従来、入力した番号が正しい暗証番号と一致しない場合に、入力した番号の一部あるは全部を表示して、ＡＴＭ利用者に間違いの原因を判断してもらう方法が提示されているが、これらの手段は入力した番号が正しい暗証番号かどうかの判断を行った後に実行しており、利用者自身が入力途中に番号を間違えた可能性に気づいても、最初から入力をやり直す必要があった。【解決手段】  入力した暗証番号の妥当性を迅速かつ簡易に確認することができ、取引の操作性を向上させることを目標とし、顧客操作部に暗証番号入力手段として番号を入力するボタンと、入力した番号を確定する実行ボタンと、入力した番号を確認するための確認ボタンとを備え、確認ボタンを押下している間は、先に入力した番号を顧客操作部に表示するように構成した。また、顧客操作部に表示する代わりに、ハンドセットによる音声にて入力した番号を利用者に伝える。【選択図】  図２
2014219817.tif 000002
【特許請求の範囲】
【請求項１】
取引情報を入力するとともに取引情報を表示する入力表示手段を有する自動取引装置であって、
前記入力表示手段は、
利用者が暗証番号を入力するための数字キーと、入力した暗証番号を確認する確認キーと、を有し、
前記数字キーによって暗証番号を入力すると、入力した暗証番号と同一の桁数の記号を表示し、
前記確認キーを押下すると、前記記号に代えて前記入力した暗証番号の数字を表示する、
ことを特徴とする自動取引装置。
【請求項２】
請求項１に記載の自動取引装置であって、
前記確認キーを押下している間のみ、前記入力した暗証番号の数字を表示し、
前記確認キーの押下を止めると、前記暗証番号の数字表示を記号表示に戻す、
ことを特徴とする自動取引装置。
【請求項３】
取引情報を入力するとともに取引情報を表示する入力表示手段と、取引情報を入力するテンキーと取引情報を音声で出力するスピーカーとを具備するハンドセットと、を有する自動取引装置であって、
前記入力表示手段は、入力した暗証番号を確認する確認キーを有し、
前記ハンドセットのテンキーによって暗証番号を入力すると、入力した暗証番号と同一の桁数の記号を表示し、
前記確認キーを押下すると、前記ハンドセットのスピーカーによって前記入力した暗証番号の数字を出力する、
ことを特徴とする自動取引装置。
【請求項４】
取引情報を入力するとともに取引情報を表示する入力表示手段と、取引情報を入力するテンキーと取引情報を音声で出力するスピーカーとを具備するハンドセットと、を有する自動取引装置であって、
前記入力表示手段は、
前記ハンドセットのテンキーによって暗証番号を入力すると、入力した暗証番号と同一の桁数の記号を表示し、
前記ハンドセットのテンキーのうちの所定の数字を押下すると、前記ハンドセットのスピーカーによって前記入力した暗証番号の数字を出力する、
ことを特徴とする自動取引装置。
【発明の詳細な説明】
【技術分野】
【０００１】
本発明は、現金自動取引装置（以下ＡＴＭと記す）などにおける暗証番号の入力に関する。
【背景技術】
【０００２】
ＡＴＭによる取引では、本人認証の手段としてキャッシュカードと暗証番号の入力を用いる。他人による取引を防止するため、暗証番号の入力誤りが規定回数に達した場合、そのキャッシュカードを無効とし、無効なキャッシュカードでは取引ができないようにしている。
しかし、本人の記憶間違いや操作ミスにより意図せずキャッシュカードが無効になってしまう場合がある。この場合、所定の手続きを経てキャッシュカードの再発行などを行う必要があり、ＡＴＭ利用者はその間ＡＴＭを利用できないという不便がある。
このような事態を防止、低減するため、特開平８−２６３７２２（特許文献１）に記載の装置では、間違った暗証番号を入力した場合に間違った桁のうち先頭１つを表示することで、入力が間違っていることを利用者に知らせ、正しい数字の入力を促している。
また、特開平３−１７４６５１（特許文献２）に記載の装置では、入力した暗証番号が間違っていた場合に入力した番号を表示し、利用者に間違いを確認してもらうことで正しい数字を入力させるようにしている。
【先行技術文献】
【特許文献】
【０００３】
【特許文献１】特開平８−２６３７２２号公報
【特許文献２】特開平３−１７４６５１号公報
【発明の概要】
【発明が解決しようとする課題】
【０００４】
本人の記憶間違いや操作ミスにより意図せずキャッシュカードが無効となる事態を防止、低減する手段として、特許文献１や特許文献２に記載装置のように入力した番号が正しい暗証番号と一致しない場合に、入力した番号の一部あるは全部を表示して、ＡＴＭ利用者に間違いの原因を判断してもらう方法が提示されているが、これら文献に記載の装置では入力した番号が正しい暗証番号かどうかの判断を行った後に実行しており、利用者自身が入力途中に番号を間違えた可能性に気づいても、最初から入力をやり直す必要があった。
【課題を解決するための手段】
【０００５】
この発明は、顧客操作部に暗証番号入力手段として番号を入力するボタンと、入力した番号を確定する実行ボタンと、入力した番号を確認するための確認ボタンとを備え、確認ボタンを押下している間は、先に入力した番号を顧客操作部に表示するように構成した。また、顧客操作部に表示する代わりに、ハンドセットによる音声にて入力した番号を利用者に伝えるようにしてもよい。
【発明の効果】
【０００６】
この発明により、ＡＴＭの利用者は、自身が入力を間違った可能性に気づいた時点（暗
証番号をホストに送信する前）で、入力した番号を確認して訂正することが可能となり、キャッシュカードが無効化されることを防止、低減できる。
【図面の簡単な説明】
【０００７】
【図１】自動取引装置の概略構成図の例である。
【図２】本発明を構成する暗証番号入力手段の例である。
【図３】暗証番号入力内容を確認するためのフローチャートの例である。
【図４】ＡＴＭが備えるハンドセットの例である。
【図５】ハンドセットを利用した暗証番号入力のフローチャートの例である。
【図６】画面表示、タッチパネル、ハンドセットによる暗証入力手段の例である。
【図７】図６の構成によるフローチャートの例である。
【発明を実施するための形態】
【０００８】
以下、実施例を図面を用いて説明する。
【実施例１】
【０００９】
図１は、本実施例の現金自動取引装置（ＡＴＭ）１の概略構成図である。紙幣処理部２は、利用者に払い出す紙幣を出金したり、利用者が入金した紙幣を収納して保管するものであって、後述する制御部９の指示により、入出金口に投入された紙幣の真偽および金種を判定して金種別の収納部に格納する機能や、収納部に格納している各金種を制御部９の指示する枚数分入出金口に搬送する機能を有する。また金種別の収納部に格納した紙幣を数えて紙幣装填／回収箱に回収する機能や、紙幣装填／回収箱に格納した紙幣を金種別に収納部に格納する機能を有する。
【００１０】
硬貨処理部３は、利用者に払い出す硬貨を出金したり、利用者が入金した硬貨を収納して保管するものであって、硬貨の出し入れを制御する硬貨処理部である。制御部９の指示により、入出金口に投入された硬貨の真偽および金種を判定して金種別の収納部に格納する機能や、収納部に格納している各金種を制御部９の指示する枚数分入出金口に搬送する機能を有する。また金種別の収納部に格納した硬貨を数えて硬貨装填／回収箱に回収する機能や、硬貨装填／回収箱に格納した硬貨を金種別に収納部に格納する機能を有する。
【００１１】
通帳処理部４は通帳の印字や発行を行うものであり、通帳挿入口より挿入された通帳に、ホスト１０より送られる取引記録を、制御部９を経由して受け取って印字を行う。また、通帳格納部に発行用通帳を格納し、制御部９の指示に従って口座番号などを印字した上で新通帳として発行する機能を有する。
【００１２】
カード／明細票部５はキャッシュカードの読み取りや明細票の発行を行うものであり、カード挿入口より挿入されたキャッシュカードの磁気ストライプあるいはＩＣチップより口座番号などの情報を読み取り制御部９に送る機能を有する。また、制御部９の指示により、取引明細書を印字して発行する機能を有する。
【００１３】
顧客操作部６は利用者への取引案内を表示する表示部６１と利用者の取引内容入力を受け付ける入力部６２で構成される。なお、表示部６１と入力部６２はタッチパネル等で一体型に構成された入力表示部とすることもできる。
【００１４】
係員操作部７は、銀行員などＡＴＭを運用する係員が、現金装填や障害復旧などのＡＴＭ操作を実行するものである。
【００１５】
制御部８はＡＴＭ全体を制御し、ホストと連携して取引を実現するものであり、顧客操作部６によりＡＴＭ利用者から取引に必要な情報を受け取ってホストへ送信し、ホストから取引の結果を受け取ってＡＴＭ各部に必要な動作をさせて取引を実行する。
【００１６】
回線制御部９は上位装置との通信を行う。
【００１７】
ホスト１０はＡＴＭ１で受け付けた取引内容を判断し、取引の可否判断や取引の結果ＡＴＭ１に動作の指示を行う上位装置であり、ＡＴＭ利用者が入力した暗証番号の一致確認もここで実行される。
【００１８】
図２は、本発明を構成する暗証番号入力手段の例である。ここでは表示部６１と入力部６２とを一体化したタッチパネルを使用する場合の例を示す。
【００１９】
１００は暗証番号を入力する数字ボタンである。１０１は入力した数字を表示する暗証番号／記号表示部である。通常は入力した数字を表示せず、入力した桁ごとに数字以外の例えばアスタリスク（＊）等の記号を表示し、入力した桁数がわかるようにしている。
【００２０】
確認ボタン１０２は本願発明独自の構成であり、ＡＴＭ利用者がこのボタンを押している間だけ、暗証番号／記号表示部１０１に表示されている記号に換えて、ＡＴＭ利用者が先に入力した数字をそのまま暗証番号／記号表示部１０１に表示する。ＡＴＭ利用者が確認ボタンから指を離す動作を検出して数字表示を元の記号表示に戻す。
【００２１】
１０３は実行ボタンであり、暗証番号の入力がすべて終了している状態でＡＴＭ利用者がこのボタンを押すと入力した数字を確定したものとして、暗証番号が正しいかどうかの判断に進む。１０４は訂正ボタンであり、ＡＴＭ利用者がこのボタンを押すと、入力した数字の記憶を破棄し、ＡＴＭ利用者が暗証番号入力をやり直せる状態にする。
【００２２】
図３は暗証番号入力時のフローチャートの例である。
【００２３】
最初に図２に示した暗証番号入力画面を表示する（ステップＳ３００）。ＡＴＭ利用者のボタン押下を待ち（ステップＳ３０１）、ボタン押下されると、まず数字ボタンかどうかを判定する（ステップＳ３０２）。数字ボタンであれば、制御部８内部に入力番号を記憶して暗証番号／記号表示部１０１に入力番号を記号表示（ステップＳ３０３）してボタン押下待ち（ステップＳ３０１）に戻る。数字ボタンでなければ訂正ボタンかどうかを判定する（ステップＳ３０４）。
【００２４】
訂正ボタンであれば、制御部８内部に記憶した入力番号を破棄（ステップＳ３０５）し、ボタン押下待ち（ステップＳ３０１）に戻る。訂正ボタンでもなければ確認ボタンかどうかを判定する（ステップＳ３０６）。確認ボタンであれば、確認ボタンが押されている間、入力された番号を暗証番号／記号表示部１０１に入力された数字そのもので表示する（ステップＳ３０７）。
【００２５】
確認ボタンからＡＴＭ利用者の指が離れた時点で、入力番号の数字表示を記号表示に戻してボタン押下待ち（ステップＳ３０１）に戻る。確認ボタンでもなければ実行ボタンかどうかを判定する（ステップＳ３０８）。実行ボタンでなければなんらかの無効なボタン押下とみなしてボタン押下待ち（ステップＳ３０１）に戻る。実行ボタンであれば、ＡＴＭ利用者が入力した数字がすでに４桁入力済みかを確認（ステップＳ３０９）する。
【００２６】
４桁入力されていなければボタン押下待ち（ステップＳ３０１）に戻る。４桁入力済みなら、入力番号をホストに送信（ステップＳ３１０）し、暗証番号の一致確認を行う。以降の取引処理については、通常のＡＴＭにおける取引処理と同様であるため、説明を省略する。
【００２７】
以上により、利用者がＡＴＭを操作しているときに、暗証番号入力を正しく実施できたかを容易に確認することができるため、利用者にとって操作性のよいＡＴＭを提供することができる。
【実施例２】
【００２８】
本実施例では、実施例１と同じくＡＴＭによる例であるが、別の入力手段を用いる場合について説明する。
【００２９】
図４は、一般にハンドセット４００と呼ぶ、顧客操作部６の一部の外観図である。
【００３０】
ＡＴＭでは、顧客操作部６として前述のとおり画面表示およびタッチパネルを利用する方法が一般的であるが、画面表示およびタッチパネルでは視覚障害者による操作が困難であることから、図４のようなハンドセット４００を顧客操作部６に同時に備えることも多い。
【００３１】
ＡＴＭは、ハンドセット４００をＡＴＭ利用者が取り上げたことを検知すると、画面表示にかわってスピーカ４０１による音声案内によりＡＴＭ利用者へ取引方法を説明し、タッチパネルにかわってテンキー４０２による入力により、取引に必要な入力内容を受け付けてＡＴＭによる取引を可能としている。ハンドセット４００による取引では図２の暗証番号／記号表示部１０１の表示内容を音声案内として実現する。
【００３２】
この場合のフローチャートの例を図５に示す。暗証番号入力案内を音声案内としてスピーカ４０１より出力する（ステップＳ５００）。このとき、訂正ボタン、確認ボタン、実行ボタンにあたるキーの説明を行う。例えば、「暗証番号入力を訂正する場合は、＃１を、確認する場合は＃２を、確定する場合は＃３を押してください。」のように案内する。
【００３３】
ＡＴＭ利用者のテンキー４０２押下を待ち（ステップＳ５０１）、キーが押下されれば、まず数字キーかどうかを判定する（ステップＳ５０２）。数字キーであれば、制御部８内部に入力番号を記憶して入力したことを表わす音（例えば、「ピッ」という音）をスピーカ２００より出力して（ステップＳ５０３）、テンキー押下待ち（ステップＳ５０１）に戻る。数字キーでなければ訂正キーかどうかを判定する（ステップＳ５０４）。
【００３４】
訂正キー（ステップＳ５００で案内したキー）であれば、制御部８内部に記憶した入力番号を破棄（ステップＳ５０５）し、キー押下待ち（ステップＳ５０１）に戻る。訂正キーでもなければ確認キーかどうかを判定する（ステップＳ５０６）。確認キーであれば、入力番号を音声案内としてスピーカ２００に出力（ステップＳ５０７）し、キー押下待ち（ステップＳ５０１）に戻る。
【００３５】
確認キーでもなければ実行キーかどうかを判定する（ステップＳ５０８）。実行キーでなければなんらかの無効なキー押下とみなしてキー押下待ち（ステップＳ５０１）に戻る。実行キーであれば、ＡＴＭ利用者が入力した数字がすでに４桁入力済みかを確認する（ステップＳ５０９）。４桁入力されていなければキー押下待ち（ステップＳ５０１）に戻る。４桁入力済みなら、入力番号をホストに送信（ステップＳ５１０）し、暗証番号の一致確認を行う。以降の取引処理については、通常のＡＴＭにおける取引処理と同様であるため、説明を省略する。
【００３６】
以上により、視覚障害者がＡＴＭを操作しているときに、暗証番号入力を正しく実施できたかを容易に確認することができるため、視覚障害にとっても操作性のよいＡＴＭを提供することができる。
【実施例３】
【００３７】
本実施例は実施例１と２を組み合わせたものである。
【００３８】
実施例１では、ＡＴＭの設置環境によっては、入力した暗証番号の確認時に暗証番号／記号表示部１０１に表示された暗証番号を他人に盗み見される恐れがある。そのような場合に備えて、図６のような案内画面６００とすることも可能である。図６では、図２と異なり、確認ボタンをタッチパネルによる入力とせず、ハンドセット４００のテンキー４０２による入力としている。
【００３９】
図７はフローチャートの例である。最初に暗証番号入力画面（図６）を表示する（ステップＳ７００）。ＡＴＭ利用者のボタン押下またはハンドセット４００のテンキー４０２押下を待ち（ステップＳ７０１）、ボタン押下されれば、まず数字ボタンかどうかを判定する（ステップＳ７０２）。
【００４０】
数字ボタンであれば、制御部８内部に入力番号を記憶して暗証番号／記号表示部６０１１０１に入力番号を記号表示（ステップＳ７０３）してボタン押下待ち（ステップＳ７０１）に戻る。数字ボタンでなければ訂正ボタンかどうかを判定する（ステップＳ７０４）。訂正ボタンであれば、制御部８内部に記憶した入力番号を破棄（ステップＳ７０５）し、ボタン押下待ち（ステップＳ７０１）に戻る。
【００４１】
訂正ボタンでもなければ確認ボタンかどうかを判定する（ステップＳ７０６）。確認キーであれば、入力番号を音声案内としてハンドセット４００のスピーカ４０１に出力し（ステップＳ７０７）、ボタン押下待ち（ステップＳ７０１）に戻る。確認キーでもなければ実行ボタンかどうかを判定する（ステップＳ７０８）。実行ボタンでなければなんらかの無効なボタン押下とみなしてボタン押下待ち（ステップＳ７０１）に戻る。
【００４２】
実行ボタンであれば、ＡＴＭ利用者が入力した数字がすでに４桁入力済みかを確認（ステップＳ７０９）する。４桁入力されていなければボタン押下待ち（ステップＳ７０１）に戻る。４桁入力済みなら、入力番号をホストに送信（ステップＳ７１０）し、暗証番号の一致確認を行う。以降の取引処理については、通常のＡＴＭにおける取引処理と同様であるため、説明を省略する。
【００４３】
以上により、利用者がＡＴＭを操作しているときに、暗証番号入力を正しく実施できたかを容易に確認することができ、かつ、確認中の暗証番号を他人から盗み見されることもなく、利用者にとって操作性がよく、かつ、セキュリティにも優れたＡＴＭを提供することができる。
【符号の説明】
【００４４】
１：現金自動取引装置（ＡＴＭ）
２：紙幣処理部
３：硬貨処理部
４：通帳処理部
５：カード／明細票部
６：顧客操作部
７：係員操作部
８：制御部
９：回線処理部
１０：ホスト
【図１】
2014219817.tif 000003
【図２】
2014219817.tif 000004
【図３】
2014219817.tif 000005
【図４】
2014219817.tif 000006
【図５】
2014219817.tif 000007
【図６】
2014219817.tif 000008
【図７】
2014219817.tif 000009